(57)【特許請求の範囲】
【請求項１】
回転部材に設けられた内径部を支持部材に設けられたボス部の外径部に遊嵌し、前記ボス部に固定用ねじを螺入して、前記固定用ねじの鍔部により前記回転部材を前記ボス部に回転可能に支持させる回転部材の支持構造において、前記ボス部の外径部における前記固定用ねじの螺入領域の螺入側一部に小径部を設け、かつ他部に大径肉厚部を設け、前記回転部材の内径部における前記ボス部の小径部に対する部分に小径部を設け、かつ前記ボス部の大径肉厚部に対する部分に大径部を設けたことを特徴とする回転部材の支持構造。
【請求項２】
前記小径部における前記ボス部の外径部と回転部材の内径部間に間隙を設けたことを特徴とする請求項１記載の回転部材の支持構造。
【請求項３】
前記回転部材が歯車であることを特徴とする請求項１または２記載の回転部材の支持構造。
【請求項４】
前記歯車がラックと噛合するピニオンであることを特徴とする請求項３記載の回転部材の支持構造。
【請求項５】
前記ラックとピニオンとが用紙幅ガイド機構を構成するガイド片の移動力伝達機構を構成することを特徴とする請求項４記載の回転部材の支持構造。
【発明の詳細な説明】
【０００１】
【発明の属する技術分野】
本発明は、歯車などの回転部材を支持する構造に係り、特にファクシミリ装置，複写機，プリンタなどの画像形成部の用紙搬送装置における用紙幅ガイド機構に関するものである。
【０００２】
【従来の技術】
歯車などの回転部材を支持する構造には多種多様なものがある。図６は従来の歯車支持構造の一例を説明するための断面図であり、１は支持基板、２は支持基板１と一体成形されて突設されたボス部、３はボス部２の中央に形成されたねじ用孔、４は歯車、５はボス部２の外径部２ａに遊嵌される歯車４の内径部、６は、鍔部７が歯車４の上面部４ａに当接して、ねじ部８がねじ用孔３に螺入される固定用ねじである。
【０００３】
図６において、歯車４の内径部５をボス部２の外径部２ａに挿入し、タップねじである固定用ねじ６のねじ部８をボス部２のねじ用孔３に螺入していくと、固定用ねじ６の鍔部７が歯車４の上面部４ａに当接する。この状態で歯車４は、ボス部２からの抜けが止められ、かつボス部２の外径部２ａに対して内径部５が摺動可能かつ回転可能に支持されることになる。
【０００４】
【発明が解決しようとする課題】
図６に示す前記従来の歯車支持構造では、ねじ用孔３に固定用ねじ６を螺入する際に、ボス部２が割れるという問題があった。これはねじ締め付け時の負荷に、通常、樹脂により成形されているボス部２が耐えられずにボス部２が膨らみ、さらに大きな負荷が加わるとボス部２が塑性変形し、最終的には割れてしまうことになるからである。
【０００５】
また、ボス部２に損傷が生じなくても、ボス部２が膨らむと歯車４における摺動負荷が増えて回転が円滑に行われなくなるという問題が発生する。
【０００６】
本発明は、前記従来の問題を解決し、前記ボス部へのねじ締め付け時における不具合の発生を簡単な構成にて防止することができる回転部材の支持構造を提供することを目的とする。
【０００７】
【課題を解決するための手段】
前記目的を達成するため、本発明は、回転部材に設けられた内径部を支持部材に設けられたボス部の外径部に遊嵌し、前記ボス部に固定用ねじを螺入して、前記固定用ねじの鍔部により前記回転部材を前記ボス部に回転可能に支持させる回転部材の支持構造において、前記ボス部の外径部における前記固定用ねじの螺入領域の螺入側一部に小径部を設け、かつ他部に大径肉厚部を設け、前記回転部材の内径部における前記ボス部の小径部に対する部分に小径部を設け、かつ前記ボス部の大径肉厚部に対する部分に大径部を設けたものであり、この構成によって、機械的強度を増加するためボス部を肉厚にしても、ボス部において、通常、固定用ねじの鍔部が当接する側は小径サイズであるため、固定用ねじとして、従来使用されていた通常規格のねじを使用することが可能になり、前記のように肉厚にしても特殊サイズのねじ、あるいは特別な部材を使用する必要がない。
【０００８】
また本発明は、前記小径部における前記ボス部の外径部と回転部材の内径部間に間隙を設けたものであり、この構成によって、ボス部の小径部においてねじ締め付け時に変形などが生じても、小径部部分には間隙が存在しているため摺動負荷などが発生することを防止することができる。
【０００９】
また本発明は、前記回転部材が歯車であることを特徴とする。
【００１０】
また本発明は、前記歯車がラックと噛合するピニオンであることを特徴とする。
【００１１】
また本発明は、前記ラックとピニオンとが用紙幅ガイド機構を構成するガイド片の移動力伝達機構を構成することを特徴とする。
【００１２】
【発明の実施の形態】
以下、本発明の好適な実施形態について図面を参照しながら説明する。
【００１３】
図１は本発明の一実施形態を説明するための用紙幅ガイド機構の要部を示す平面図、図２は用紙幅ガイド機構の分解斜視図であり、１０は左ガイド部材、１１は右ガイド部材、１２，１３は各ガイド部材１０，１１に設けられたガイド突起部材であって、両ガイド突起部材１２，１３にまたがって載置された用紙Ｐの両側部を、それぞれ両ガイド突起部材１２，１３を移動することによって押圧して用紙Ｐの幅規制を行う。
【００１４】
すなわち、使用に際してユーザは、まず両ガイド突起部材１２，１３を、使用する用紙Ｐの幅より広くセットしておき、用紙Ｐを両ガイド突起部材１２，１３のセット面上に載置した後、両ガイド突起部材１２，１３を狭める方向へ移動して、用紙Ｐの両側に当接させる。この当接状態において用紙の幅方向が両ガイド突起部材１２，１３によって規制されて、図示しない用紙搬送手段による給紙に際してスキューなどの発生を防ぐようにしている。
【００１５】
左ガイド部材１０と右ガイド部材１１は、それぞれ側部に左ラック１４と右ラック１５が一体成形されており、両ラック１４，１５に噛合しているピニオンギヤ１６によって互いに移動可能に連結している。回転部材であるピニオンギヤ１６は、左ガイド部材１０と右ガイド部材１１とにおける一方が移動すると、他方が連動して移動するような移動力伝達機構を構成している。
【００１６】
図２に示すように、左ガイド部材１０と右ガイド部材１１は、ガイド基板１７に形成されたガイド横孔１７ａ，１７ｂを通る連結用ねじ１８，１８により、それぞれ対応するガイド突起部材１２，１３に連結している。ピニオンギヤ１６はガイド基板１７の中央部に形成されたボス部２０に後述するように回転可能に支持されている。
【００１７】
図３はピニオンギヤ支持部を分解して示す断面図であって、２１はボス部２０の中央に形成されたねじ用孔、２２はボス部２０の外径部２０ａに遊嵌されるピニオンギヤ１６の内径部、２３は、鍔部２４がピニオンギヤ１６の上面部１６ａに当接して、ねじ部２５がねじ用孔２１に螺入される固定用ねじである。
【００１８】
図３において、ピニオンギヤ１６の内径部２２をボス部２０の外径部２０ａに挿入し、タップねじである固定用ねじ２３のねじ部２５をボス部２０のねじ用孔２１に螺入していくと、固定用ねじ２３の鍔部２４がピニオンギヤ１６の上面部１６ａに当接する。この状態でピニオンギヤ１６は、ボス部２０からの抜けが止められ、かつボス部２０の外径部２０ａに対して内径部２２が摺動可能かつ回転可能に支持されることになる。
【００１９】
ボス部２０の外径部２０ａとピニオンギヤ１６の内径部２２とは、ボス部２０の外径部２０ａにおける肉厚を従来のボス部に比べて厚くしてボス部２０における機械的強度を増加させるために大径にしている。
【００２０】
ところで、前記のようにピニオンギヤ１６における内径部２２の径を大きくすると、従来使用していた固定用ねじ２３の鍔部２４とピニオンギヤ１６の上面部１６ａとの係合する領域が少なくなり、ピニオンギヤ１６の抜け止めを確実にするためワッシャーなどを介在させる必要が生じ、部品点数を増加させるという問題がある。
【００２１】
そこで図４のピニオンギヤ支持部における分解断面図にて示す例では、ボス部３０の外径部３１とピニオンギヤ３２の内径部３３において、固定用ねじ２３の螺入側の一部が従来と略同径の小径部３１ａ，３３ａとなり、かつ、ボス部３０の他部が大径肉厚部３１ｂとなり、ピニオンギヤ３２の他部が大径部３３ｂとなるように段差３４，３５を形成した。
【００２２】
この構成によって、機械的強度を増加するためボス部３０を肉厚にしても、ボス部３０およびピニオンギヤ３２において、固定用ねじ２３の鍔部２４が当接する側は小径サイズであるため、固定用ねじ２３として、従来使用されていた通常規格のねじを使用することが可能になり、前記のように肉厚にしても特殊サイズのねじ、あるいは特別なワッシャーなどを使用する必要がなくなる。
【００２３】
また図４に示す例においては、ボス部３０の外径部３１における小径部３１ａには、ねじ締め付け時の負荷に、従来と同様に割れ，膨れが発生し、ピニオンギヤ３２間の摺動負荷を増加させるおそれがある。
【００２４】
そこで図５のピニオンギヤ支持部における断面図にて示す例では、図４に示す例と同様に、ボス部４０の外径部４１とピニオンギヤ４２の内径部４３において、固定用ねじ２３の螺入側の一部が小径部４１ａ，４３ａとなり、かつ、ボス部４０の他部が大径肉厚部４１ｂとなり、ピニオンギヤ４２の他部が大径部４３ｂとなるように段差４４を形成するが、さらにピニオンギヤ４２の小径部４３ａをボス部４０の小径部４１ａよりも多少大きな径にして、小径部４１ａ，４３ａにおいて間隙４５を形成するようにしている。
【００２５】
この構成によって、固定用ねじ２３の鍔部２４におけるピニオンギヤ４２に対する係合領域が図４に示す例より小さくなるが、ねじ締め付け時の負荷を受けたボス部４０の小径部４１ａにおいて、万一、割れ，膨れが発生しても、小径部４１ａ，４３ａ間に間隙４５が存在しているため、この部位において摺動負荷が発生することを防ぐことができる。
【００２６】
なお、前記実施形態では、ピニオンギヤをボス部にねじによって支持する例を説明したが、ピニオンギヤ以外の他の回転部材における回転かつ摺動支持構造としても本発明を適用することができる。
【００２７】
【発明の効果】
以上説明したように、本発明の回転部材の支持構造によれば、回転部材を支持するボス部における機械的強度を増加するためボス部を肉厚にしても、ボス部において、通常、固定用ねじの鍔部が当接する側は小径サイズであるため、固定用ねじとして、従来使用されていた通常規格のねじを使用することが可能になり、ボス部を肉厚にしても特殊サイズのねじ、あるいは特別な部材を使用する必要がなく、簡単な構成により、ボス部へのねじ締め付け時における不具合の発生を防止することができて、回転部材の動作が安定する等の実際的な効果を得ることができる。
【図面の簡単な説明】
【図１】本発明の一実施形態を説明するための用紙幅ガイド機構の要部を示す平面図
【図２】本実施形態における用紙幅ガイド機構の分解斜視図
【図３】本実施形態におけるピニオンギヤ支持部を分解して示す断面図
【図４】ピニオンギヤ支持部における他例を示す分解断面図
【図５】ピニオンギヤ支持部における他例を示す断面図
【図６】従来の歯車支持構造の一例を説明するための断面図
【符号の説明】
１０  左ガイド部材
１１  右ガイド部材
１４  左ラック
１５  右ラック
１６，３２，４２  ピニオンギヤ
１７  ガイド基板
２０，３０，４０  ボス部
２０ａ，３１，４１  ボス部の外径部
２１  ボス部のねじ用孔
２２，３３，４３  ピニオンギヤの内径部
２３  固定用ねじ
２４  固定用ねじの鍔部
２５  ねじ部
３１ａ，４１ａ  ボス部の小径部
３１ｂ，４１ｂ  ボス部の大径部
３４，３５，４４  段差
３３ａ，４３ａ  ピニオンギヤの小径部
３３ｂ，４３ｂ  ピニオンギヤの大径部
４５  間隙
【図１】
0003672069.tif 000002
【図２】
0003672069.tif 000003
【図３】
0003672069.tif 000004
【図４】
0003672069.tif 000005
【図５】
0003672069.tif 000006
【図６】
0003672069.tif 000007